(57)【特許請求の範囲】
【請求項１】
電子書籍である電子コンテンツを表示する表示部と、
ユーザの操作を受ける操作部と、
前記操作部が受けたユーザ操作に従って電子コンテンツのページを前記表示部のページ表示領域に表示させる表示制御部と、
前記電子コンテンツの識別情報をコンテンツ提供装置に送信して関連する他の電子コンテンツを問合せ、前記コンテンツ提供装置が前記問合せに応じて選択した他の電子コンテンツを紹介する紹介ページを、前記電子コンテンツの最終ページとして設定する設定部と、
前記表示制御部が前記電子コンテンツの最終ページとして前記紹介ページを前記表示部の前記ページ表示領域に表示させているときに次ページ以降へのページ移動の操作を前記操作部が受けた場合に、電子コンテンツのページと同様のデータ形式で記述され、前記電子コンテンツに関連する他の電子コンテンツを利用するかを問合せる利用問合せページを前記表示部の前記ページ表示領域に表示させる問合部と、
前記問合部が前記利用問合せページを前記表示部の前記ページ表示領域に表示させているときに次ページ以降へのページ移動の操作を前記操作部が受けた場合に、前記他の電子コンテンツのページを前記表示部の前記ページ表示領域に表示させる関連コンテンツ表示制御部と、
を備えることを特徴とするコンテンツ表示装置。
【請求項２】
前記問合部が前記利用問合せページを前記表示部の前記ページ表示領域に表示させているときに次ページ以降へのページ移動の操作を前記操作部が受けた場合に、前記他の電子コンテンツを前記コンテンツ提供装置から取得する取得部をさらに備え、
前記関連コンテンツ表示制御部は、前記取得部が取得した前記他の電子コンテンツのページを前記表示部に表示させる、
ことを特徴とする請求項１に記載のコンテンツ表示装置。
【請求項３】
前記取得部は、前記問合部が前記利用問合せページを前記表示部の前記ページ表示領域に表示させているときに次ページ以降へのページ移動の操作を前記操作部が受けた場合に、前記コンテンツ提供装置に前記他の電子コンテンツの購入要求を送信し、前記購入要求により購入した前記他の電子コンテンツを前記コンテンツ提供装置から取得する、
ことを特徴とする請求項２に記載のコンテンツ表示装置。
【請求項４】
前記取得部は、前記問合部が前記利用問合せページを前記表示部の前記ページ表示領域に表示させているときに次ページ以降へのページ移動の操作を前記操作部が受けた場合に、購入の意思を確認する購入意思確認画面を前記表示部に表示させ、前記購入意思確認画面の表示に対応して前記操作部が購入意思確認の操作を受けた場合に、前記コンテンツ提供装置に前記他の電子コンテンツの購入要求を送信する、
ことを特徴とする請求項３に記載のコンテンツ表示装置。
【請求項５】
前記取得部は、前記コンテンツ提供装置において前記他の電子コンテンツの購入のための決済処理が終了した場合に決済完了の通知を記述した決済完了通知ページを前記表示部に表示させ、
前記関連コンテンツ表示制御部は、前記設定部が前記決済完了通知ページを前記表示部に表示させているときに次ページ以降へのページ移動の操作を前記操作部が受けた場合に、前記取得部が取得した前記他の電子コンテンツのページを前記表示部に表示させる、
ことを特徴とする請求項３または請求項４に記載のコンテンツ表示装置。
【請求項６】
前記取得部は、前記コンテンツ提供装置に前記他の電子コンテンツの購入要求を送信してから前記コンテンツ提供装置において前記他の電子コンテンツの購入のための決済処理が終了するまで、購入中を示す情報を前記表示部に表示させる、
ことを特徴とする請求項５に記載のコンテンツ表示装置。
【請求項７】
前記関連コンテンツ表示制御部は、前記問合部が前記利用問合せページを前記表示部の前記ページ表示領域に表示させているときに次ページ以降へのページ移動の操作を前記操作部が受けた場合に、利用可能な電子コンテンツを記憶する記憶部から前記他の電子コンテンツを読み出し、読み出した前記他の電子コンテンツのページを前記表示部に表示させる、
ことを特徴とする請求項１から請求項６のいずれか１項に記載のコンテンツ表示装置。
【請求項８】
コンテンツ表示装置が実行するコンテンツ表示方法であって、
操作部が受けたユーザ操作に従って、電子書籍である電子コンテンツのページを表示部のページ表示領域に表示させる表示制御ステップと、
前記電子コンテンツの識別情報をコンテンツ提供装置に送信して関連する他の電子コンテンツを問合せ、前記コンテンツ提供装置が前記問合せに応じて選択した他の電子コンテンツを紹介する紹介ページを、前記電子コンテンツの最終ページとして設定する設定ステップと、
前記表示制御ステップにおいて前記電子コンテンツの最終ページとして前記紹介ページを前記表示部の前記ページ表示領域に表示させているときに次ページ以降へのページ移動の操作を前記操作部が受けた場合に、電子コンテンツのページと同様のデータ形式で記述され、前記電子コンテンツに関連する他の電子コンテンツを利用するかを問合せる利用問合せページを前記表示部の前記ページ表示領域に表示させる問合ステップと、
前記問合ステップにおいて前記利用問合せページを前記表示部の前記ページ表示領域に表示させているときに次ページ以降へのページ移動の操作を前記操作部が受けた場合に、前記他の電子コンテンツのページを前記表示部の前記ページ表示領域に表示させる関連コンテンツ表示制御ステップと、
を有するコンテンツ表示方法。
【請求項９】
コンピュータに、
操作部が受けたユーザ操作に従って、電子書籍である電子コンテンツのページを表示部のページ表示領域に表示させる表示制御ステップと、
前記電子コンテンツの識別情報をコンテンツ提供装置に送信して関連する他の電子コンテンツを問合せ、前記コンテンツ提供装置が前記問合せに応じて選択した他の電子コンテンツを紹介する紹介ページを、前記電子コンテンツの最終ページとして設定する設定ステップと、
前記表示制御ステップにおいて前記電子コンテンツの最終ページとして前記紹介ページを前記表示部の前記ページ表示領域に表示させているときに次ページ以降へのページ移動の操作を前記操作部が受けた場合に、電子コンテンツのページと同様のデータ形式で記述され、前記電子コンテンツに関連する他の電子コンテンツを利用するかを問合せる利用問合せページを前記表示部の前記ページ表示領域に表示させる問合ステップと、
前記問合ステップにおいて前記利用問合せページを前記表示部の前記ページ表示領域に表示させているときに次ページ以降へのページ移動の操作を前記操作部が受けた場合に、前記他の電子コンテンツのページを前記表示部の前記ページ表示領域に表示させる関連コンテンツ表示制御ステップと、
を実行させるプログラム。
【発明の詳細な説明】
【技術分野】
【０００１】
本発明は、コンテンツ表示装置、コンテンツ表示方法、及びプログラムに関する。
【背景技術】
【０００２】
近年、ユーザがオンラインで電子コンテンツを購入し、利用する機会が増えている。電子コンテンツの一つに電子書籍がある。電子書籍サービスを利用する場合、まず、ユーザは、電子書籍用のコンテンツ表示装置である電子書籍表示装置のストア機能を利用して電子書籍を選択して購入する。購入後、ユーザは、電子書籍表示装置の本棚機能により表示される購入済みの電子書籍の一覧の中から、閲覧する電子書籍を選択する。ユーザは、選択した電子書籍を、電子書籍表示装置のビューア機能により閲覧する。
一方、電子書籍の閲覧終了後、続刊の購入手続きを行う技術がある（例えば、特許文献１参照）。
【先行技術文献】
【特許文献】
【０００３】
【特許文献１】特許第５０６４２４２号公報
【発明の概要】
【発明が解決しようとする課題】
【０００４】
ユーザは、電子書籍の閲覧後、その電子書籍の続刊など関連する他の電子書籍を続けて閲覧したい、と思うことがある。続刊を閲覧するには、電子書籍表示装置のビューア機能を終了した後、再び、ストア機能を開始して電子書籍の検索及び購入を行い、本棚機能により閲覧対象の購入済電子書籍を選択するという過程を経なければならない。これは、すぐに続刊を読みたいというユーザのニーズを満たすには、利便性が良いとはいえなかった。特許文献１の技術では、続刊を購入する過程の中で、続刊の検索の過程が省略されるにすぎない。
【０００５】
本発明は、このような事情を考慮してなされたもので、ユーザが電子コンテンツを利用した後、利用した電子コンテンツに関連する他の電子コンテンツを速やかに利用できるようにするコンテンツ表示装置、コンテンツ表示方法、及びプログラムを提供する。
【課題を解決するための手段】
【０００６】
上記目的を達成するために、本発明の一態様は、電子書籍である電子コンテンツを表示する表示部と、ユーザの操作を受ける操作部と、前記操作部が受けたユーザ操作に従って電子コンテンツのページを前記表示部のページ表示領域に表示させる表示制御部と、前記電子コンテンツの識別情報をコンテンツ提供装置に送信して関連する他の電子コンテンツを問合せ、前記コンテンツ提供装置が前記問合せに応じて選択した他の電子コンテンツを紹介する紹介ページを、前記電子コンテンツの最終ページとして設定する設定部と、前記表示制御部が前記電子コンテンツの最終ページとして前記紹介ページを前記表示部の前記ページ表示領域に表示させているときに次ページ以降へのページ移動の操作を前記操作部が受けた場合に、電子コンテンツのページと同様のデータ形式で記述され、前記電子コンテンツに関連する他の電子コンテンツを利用するかを問合せる利用問合せページを前記表示部の前記ページ表示領域に表示させる問合部と、前記問合部が前記利用問合せページを前記表示部の前記ページ表示領域に表示させているときに次ページ以降へのページ移動の操作を前記操作部が受けた場合に、前記他の電子コンテンツのページを前記表示部の前記ページ表示領域に表示させる関連コンテンツ表示制御部と、を備えることを特徴とするコンテンツ表示装置である。
【０００９】
また、本発明の一態様は、上述するコンテンツ表示装置であって、前記問合部が前記利用問合せページを前記表示部の前記ページ表示領域に表示させているときに次ページ以降へのページ移動の操作を前記操作部が受けた場合に、前記他の電子コンテンツを前記コンテンツ提供装置から取得する取得部をさらに備え、前記関連コンテンツ表示制御部は、前記取得部が取得した前記他の電子コンテンツのページを前記表示部に表示させる、ことを特徴とする。
【００１０】
また、本発明の一態様は、上述するコンテンツ表示装置であって、前記取得部は、前記問合部が前記利用問合せページを前記表示部の前記ページ表示領域に表示させているときに次ページ以降へのページ移動の操作を前記操作部が受けた場合に、前記コンテンツ提供装置に前記他の電子コンテンツの購入要求を送信し、前記購入要求により購入した前記他の電子コンテンツを前記コンテンツ提供装置から取得する、ことを特徴とする。
【００１１】
また、本発明の一態様は、上述するコンテンツ表示装置であって、前記取得部は、前記問合部が前記利用問合せページを前記表示部の前記ページ表示領域に表示させているときに次ページ以降へのページ移動の操作を前記操作部が受けた場合に、購入の意思を確認する購入意思確認画面を前記表示部に表示させ、前記購入意思確認画面の表示に対応して前記操作部が購入意思確認の操作を受けた場合に、前記コンテンツ提供装置に前記他の電子コンテンツの購入要求を送信する、ことを特徴とする。
【００１２】
また、本発明の一態様は、上述するコンテンツ表示装置であって、前記取得部は、前記コンテンツ提供装置において前記他の電子コンテンツの購入のための決済処理が終了した場合に決済完了の通知を記述した決済完了通知ページを前記表示部に表示させ、前記関連コンテンツ表示制御部は、前記設定部が前記決済完了通知ページを前記表示部に表示させているときに次ページ以降へのページ移動の操作を前記操作部が受けた場合に、前記取得部が取得した前記他の電子コンテンツのページを前記表示部に表示させる、ことを特徴とする。
【００１３】
また、本発明の一態様は、上述するコンテンツ表示装置であって、前記取得部は、前記コンテンツ提供装置に前記他の電子コンテンツの購入要求を送信してから前記コンテンツ提供装置において前記他の電子コンテンツの購入のための決済処理が終了するまで、購入中を示す情報を前記表示部に表示させる、ことを特徴とする。
【００１４】
また、本発明の一態様は、上述するコンテンツ表示装置であって、前記関連コンテンツ表示制御部は、前記問合部が前記利用問合せページを前記表示部の前記ページ表示領域に表示させているときに次ページ以降へのページ移動の操作を前記操作部が受けた場合に、利用可能な電子コンテンツを記憶する記憶部から前記他の電子コンテンツを読み出し、読み出した前記他の電子コンテンツのページを前記表示部に表示させる、ことを特徴とする。
【００１６】
また、本発明の一態様は、コンテンツ表示装置が実行するコンテンツ表示方法であって、操作部が受けたユーザ操作に従って、電子書籍である電子コンテンツのページを表示部のページ表示領域に表示させる表示制御ステップと、前記電子コンテンツの識別情報をコンテンツ提供装置に送信して関連する他の電子コンテンツを問合せ、前記コンテンツ提供装置が前記問合せに応じて選択した他の電子コンテンツを紹介する紹介ページを、前記電子コンテンツの最終ページとして設定する設定ステップと、前記表示制御ステップにおいて前記電子コンテンツの最終ページとして前記紹介ページを前記表示部の前記ページ表示領域に表示させているときに次ページ以降へのページ移動の操作を前記操作部が受けた場合に、電子コンテンツのページと同様のデータ形式で記述され、前記電子コンテンツに関連する他の電子コンテンツを利用するかを問合せる利用問合せページを前記表示部の前記ページ表示領域に表示させる問合ステップと、前記問合ステップにおいて前記利用問合せページを前記表示部の前記ページ表示領域に表示させているときに次ページ以降へのページ移動の操作を前記操作部が受けた場合に、前記他の電子コンテンツのページを前記表示部の前記ページ表示領域に表示させる関連コンテンツ表示制御ステップと、を有するコンテンツ表示方法である。
【００１７】
また、本発明の一態様は、コンピュータに、操作部が受けたユーザ操作に従って、電子書籍である電子コンテンツのページを表示部のページ表示領域に表示させる表示制御ステップと、前記電子コンテンツの識別情報をコンテンツ提供装置に送信して関連する他の電子コンテンツを問合せ、前記コンテンツ提供装置が前記問合せに応じて選択した他の電子コンテンツを紹介する紹介ページを、前記電子コンテンツの最終ページとして設定する設定ステップと、前記表示制御ステップにおいて前記電子コンテンツの最終ページとして前記紹介ページを前記表示部の前記ページ表示領域に表示させているときに次ページ以降へのページ移動の操作を前記操作部が受けた場合に、電子コンテンツのページと同様のデータ形式で記述され、前記電子コンテンツに関連する他の電子コンテンツを利用するかを問合せる利用問合せページを前記表示部の前記ページ表示領域に表示させる問合ステップと、前記問合ステップにおいて前記利用問合せページを前記表示部の前記ページ表示領域に表示させているときに次ページ以降へのページ移動の操作を前記操作部が受けた場合に、前記他の電子コンテンツのページを前記表示部の前記ページ表示領域に表示させる関連コンテンツ表示制御ステップと、を実行させるプログラムである。
【発明の効果】
【００１８】
本発明によれば、ユーザは、電子コンテンツを利用した後、利用した電子コンテンツに関連する他の電子コンテンツを速やかに利用することができる。
【図面の簡単な説明】
【００１９】
【図１】本発明の一実施形態による電子書籍販売システムの構成図である。
【図２】同実施形態による電子書籍表示装置の機能ブロック図である。
【図３】同実施形態による電子書籍販売装置の機能ブロック図である。
【図４】同実施形態による購入電子書籍管理情報のデータ構成例を示す図である。
【図５】同実施形態によるユーザ管理情報のデータ構成例を示す図である。
【図６】同実施形態による電子書籍管理情報のデータ構成例を示す図である。
【図７】同実施形態による電子書籍表示装置の電子書籍表示処理を示す処理フローを示す図である。
【図８】同実施形態による電子書籍表示装置の電子書籍表示処理を示す処理フローを示す図である。
【図９】同実施形態による電子書籍表示装置の表示画面を示す図である。
【発明を実施するための形態】
【００２０】
以下、本発明の一実施形態について図面を参照して詳細に説明する。以下では、ユーザが利用する電子コンテンツが電子書籍である場合を例に説明する。
【００２１】
図１は、本発明の一実施形態による電子書籍販売システムの構成図であり、本実施形態と関係する機能ブロックのみ抽出して示してある。同図に示すように、電子書籍販売システムは、電子書籍表示装置１と電子書籍販売装置５とを有する。電子書籍表示装置１は、電子コンテンツが電子書籍である場合のコンテンツ表示装置の一例であり、電子書籍販売装置５は、電子コンテンツが電子書籍である場合のコンテンツ提供装置の一例である。電子書籍表示装置１と電子書籍販売装置５は、インターネットなどのネットワーク９を介して接続される。同図においては、電子書籍表示装置１を１台のみ示しているが、現実には複数台を有する。
【００２２】
図２は、電子書籍表示装置１の構成を示す機能ブロック図であり、本実施形態と関係する機能ブロックのみを抽出して示してある。ユーザが保有する電子書籍表示装置１は、例えば、スマートホン、タブレット端末、パーソナルコンピュータ、専用端末などのコンピュータ端末である。電子書籍表示装置１は、操作部１１、表示部１２、通信部１３、記憶部１４、及び処理部１５を備えて構成される。
【００２３】
操作部１１は、ユーザによる操作を受ける。表示部１２は、画面を表示するディスプレイである。表示部１２がタッチパネルである場合、操作部１１は、タッチパネルに配されているタッチセンサである。通信部１３は、ネットワーク９を介して電子書籍販売装置５とデータを送受信する。記憶部１４は、購入電子書籍管理情報を記憶する。購入電子書籍管理情報は、ユーザが購入した電子書籍と、その電子書籍のメタ情報及び一覧表示用データとを含む。一覧表示用データは、電子書籍を一覧表示する際に用いられる。
【００２４】
処理部１５は、購入処理部１６、一覧表示部１７、及びビューア部１８を備える。
購入処理部１６は、ストア機能を有する。購入処理部１６は、電子書籍の検索条件を電子書籍販売装置５に送信し、返送された検索結果を表示部１２に表示させる。購入処理部１６は、検索結果に含まれる電子書籍の中からユーザが操作部１１により選択した電子書籍の購入要求を電子書籍販売装置５に送信する。購入処理部１６は、購入要求により購入した電子書籍の購入電子書籍管理情報を電子書籍販売装置５から受信し、記憶部１４に書き込む。
【００２５】
一覧表示部１７は、本棚機能を有する。一覧表示部１７は、記憶部１４の購入電子書籍管理情報から一覧表示用データを読み出して表示部１２に一覧表示させる。一覧表示部１７は、一覧表示用データを表示させている電子書籍の中からユーザが閲覧対象として選択した電子書籍の情報をビューア部１８に通知する。
【００２６】
ビューア部１８は、ビューア機能を有し、表示制御部１８１、設定部１８２、問合部１８３、及び取得部１８４を備える。
表示制御部１８１は、閲覧対象の電子書籍を記憶部１４の購入電子書籍管理情報から読み出し、操作部１１によるユーザ操作に応じて電子書籍のページを表示部１２に表示させる。表示制御部１８１は、問合部１８３が後述するように利用問合せページを表示部１２に表示させているときにページめくり操作など次ページ以降（次ページまたは次ページよりも後ろのページ）へのページ移動の操作を操作部１１が受けた場合に、電子書籍に関連する他の電子書籍のページを表示部１２に表示させる。以下では、電子書籍に関連する他の電子書籍を「関連電子書籍」と記載する。なお、利用問合せページの表示から関連電子書籍のページの表示までの間に、他のページが表示部１２に表示され得る。
【００２７】
設定部１８２は、関連電子書籍を紹介する紹介ページのデータを取得し、取得した紹介ページのデータを電子書籍の最終ページなど所定のページに設定する。設定部１８２は、紹介ページのデータを電子書籍の所定のページとして追加してもよく、電子書籍の所定のページとマージしてもよい。関連電子書籍は、任意とすることができる。例えば、電子書籍がシリーズものである場合、関連電子書籍は、同じシリーズに含まれる他の電子書籍とすることができる。また、関連電子書籍は、同じ作者や同じトピックを扱った他の電子書籍としてもよい。なお、電子書籍に予め紹介ページが含まれていてもよい。電子書籍に予め紹介ページが含まれている場合、設定部１８２は、紹介ページの取得及び設定を行わない。
【００２８】
問合部１８３は、表示制御部１８１が電子書籍の所定のページのデータを表示部１２に表示させているときに、操作部１１がページめくり操作など所定のページ移動の操作を受けた場合に、利用問合せページのデータを表示部１２に表示させる。本実施形態では、所定のページを電子書籍の最終ページである紹介ページとする。利用問合せページは、関連電子書籍を利用するかの問合せを記述したページである。
【００２９】
取得部１８４は、問合部１８３が利用問合せページのデータを表示部１２に表示させているときに、操作部１１がページめくり操作など次ページ以降へのページ移動の操作を受けた場合に、関連電子書籍が未購入であれば関連電子書籍の購入要求を電子書籍販売装置５に送信する。取得部１８４は、送信した購入要求により購入した関連電子書籍の購入電子書籍管理情報を電子書籍販売装置５から受信し、記憶部１４に書き込む。
【００３０】
図３は、電子書籍販売装置５の構成を示す機能ブロック図であり、本実施形態と関係する機能ブロックのみを抽出して示してある。電子書籍販売装置５は、１台または複数台のサーバコンピュータにより実現することができる。同図に示すように、電子書籍販売装置５は、記憶部５１、通信部５２、及び、処理部５３を備える。
記憶部５１は、ユーザ管理情報や電子書籍管理情報などの各種データを記憶する。ユーザ管理情報は、各ユーザの個人情報や購入した電子書籍などの情報を含む。電子書籍管理情報は、販売している電子書籍に関する情報や一覧表示用データなどを含む。
通信部５２は、ネットワーク９を介して電子書籍表示装置１とデータを送受信する。
【００３１】
処理部５３は、販売処理部５４、配信部５５、及び選択部５６を備える。
販売処理部５４は、電子書籍表示装置１から受信した検索条件に基づいて記憶部５１に記憶されている電子書籍管理情報を検索する。販売処理部５４は、検索条件に基づいて特定した電子書籍管理情報から電子書籍に関する情報を読み出し、検索結果として電子書籍表示装置１へ送信する。また、販売処理部５４は、電子書籍の販売に伴う決済処理を行う。配信部５５は、決済処理が終了した電子書籍と、その電子書籍のメタ情報及び一覧表示用データとを記憶部５１に記憶されている電子書籍管理情報から読み出して電子書籍表示装置１に配信する。選択部５６は、ユーザが購入済みの電子書籍の関連電子書籍を選択し、電子書籍表示装置１に通知する。
【００３２】
次に、各装置が記憶するデータについて説明する。
図４は、電子書籍表示装置１の記憶部１４が記憶する購入電子書籍管理情報のデータ構成例を示す図である。購入電子書籍管理情報は、電子書籍ＩＤ、電子書籍メタ情報、一覧表示用データ、閲覧履歴、及びユーザ付加情報を関連付けたデータである。電子書籍メタ情報は、電子書籍に関する情報であり、例えば、書籍のタイトル、著者、出版社、シリーズ、紹介文などを示す。シリーズは、例えば、電子書籍が属するシリーズの識別情報と、そのシリーズの何巻目であるかの情報を示す。紹介文は、例えば、あらすじを示す。一覧表示用データは、例えば、電子書籍と同じ内容の紙の書籍の表紙の画像データである。一覧表示用データは、アイコンなどの画像データでもよく、テキストデータや、テキストデータと画像データの組み合わせなどでもよい。閲覧履歴は、電子書籍を最後に閲覧した位置の情報を含む。ユーザ付加情報は、ユーザがしおりを挿入した電子書籍の位置の情報を示す。電子書籍の位置は、ページ数あるいは、電子書籍の全体において最初から何パーセントの位置であるかにより示される。
【００３３】
図５は、電子書籍販売装置５の記憶部５１が記憶するユーザ管理情報のデータ構成例を示す図である。ユーザ管理情報は、ユーザＩＤ、個人情報、クレジットカード番号、購入済電子書籍情報を対応付けたデータである。個人情報は、例えば、ユーザの名前、連絡先、生年月日、性別等を含む。購入済電子書籍情報は、ユーザが購入した電子書籍の電子書籍ＩＤとその電子書籍の購入日時を示す。
【００３４】
図６は、電子書籍販売装置５の記憶部５１が記憶する電子書籍管理情報のデータ構成例を示す図である。電子書籍管理情報は、電子書籍ＩＤ、電子書籍あるいは電子書籍の記憶場所、電子書籍情報、一覧表示用データ、価格などを示す。電子書籍情報は、電子書籍のタイトル、著者、出版社、シリーズ、ジャンル、紹介文など電子書籍に関する情報を示す。
【００３５】
次に、電子書籍販売システムの動作を説明する。
なお、電子書籍表示装置１の各部は通信部１３を介して電子書籍販売装置５とデータを送受信し、電子書籍販売装置５の各部は、通信部５２を介して電子書籍販売装置５とデータを送信するが、以下ではその処理を省略して記載する。
【００３６】
電子書籍表示装置１は、電子書籍販売装置５が提供する電子書籍販売サイトへアクセスする。電子書籍表示装置１の購入処理部１６は、ユーザが操作部１１により入力した電子書籍の検索条件を電子書籍販売装置５に送信する。電子書籍販売装置５の販売処理部５４は、受信した検索条件により、記憶部５１に記憶されている電子書籍管理情報を検索し、電子書籍ＩＤ、電子書籍情報、価格などが検索条件に合致する電子書籍管理情報を特定する。販売処理部５４は、特定した電子書籍管理情報から電子書籍情報内の所定の情報(タイトル、書籍、出版社、紹介文など）や価格、一覧表示用データを読み出し、読み出した情報を一覧表示するための検索結果表示画面データを生成して電子書籍表示装置１に返送する。電子書籍表示装置１の購入処理部１６は、電子書籍販売装置５から受信した検索結果表示画面データを表示部１２に表示させる。
【００３７】
ユーザは、電子書籍の購入を決めると、操作部１１により購入対象の電子書籍を選択し、購入要求送信指示を入力する。購入処理部１６は、ユーザＩＤと、操作部１１により選択された購入対象の電子書籍の情報を購入要求に設定し、電子書籍販売装置５に送信する。電子書籍販売装置５の販売処理部５４は、受信した購入要求に設定されているユーザＩＤをキーにして記憶部５１に記憶されているユーザ管理情報を特定し、クレジットカード番号を読み出す。さらに、販売処理部５４は、購入要求が示す購入対象の電子書籍の電子書籍ＩＤをキーにして記憶部５１に記憶されている電子書籍管理情報を特定する。
【００３８】
販売処理部５４は、特定した電子書籍管理情報に設定されている価格に基づき請求金額を算出すると、特定したユーザ管理情報から読み出したクレジットカード番号と、請求金額とをクレジットカード会社のサーバに送信し、決済処理のトランザクションを要求する。販売処理部５４は、クレジットカード会社のサーバからトランザクションの成功を受信した場合、特定したユーザ管理情報に、購入した電子書籍の電子書籍ＩＤと購入日時を設定した購入済電子書籍情報を追加する。配信部５５は、特定した電子書籍管理情報に設定されている電子書籍ＩＤ、電子書籍、電子書籍情報の一部の情報、及び、一覧表示用データを電子書籍表示装置１に配信する。電子書籍情報の一部の情報は、タイトル、著者、出版社、シリーズ、紹介文など、電子書籍メタ情報に用いられる情報である。電子書籍表示装置１の購入処理部１６は、電子書籍販売装置５から受信した情報を購入電子書籍管理情報として記憶部１４に書き込む。
【００３９】
図７は、電子書籍表示装置１における電子書籍表示処理の処理フローを示す図である。
ユーザは、電子書籍を閲覧する場合、電子書籍表示装置１の操作部１１により本棚機能の開始を指示する。電子書籍表示装置１の一覧表示部１７は、電子書籍販売装置５にユーザＩＤを送信する。電子書籍販売装置５の配信部５５は、ユーザＩＤをキーにして記憶部５１に記憶されているユーザ管理情報を特定し、特定したユーザ管理情報の購入済電子書籍情報に設定されている電子書籍ＩＤを利用可能電子書籍として電子書籍表示装置１に通知する。電子書籍表示装置１の一覧表示部１７は、利用可能電子書籍として通知された電子書籍ＩＤに対応付けて利用可能であることを示す情報を記憶部１４に書き込む。電子書籍表示装置１の一覧表示部１７は、記憶部１４に記憶されている電子書籍管理情報から、利用可能が設定されている電子書籍ＩＤにより特定される電子書籍の一覧表示用データを読み出して表示部１２に表示させる。ユーザは、表示部１２が表示させている一覧表示用データの中から、閲覧対象の電子書籍を操作部１１により選択する（ステップＳ１０５）。一覧表示部１７は、選択された一覧表示用データに対応した電子書籍の電子書籍ＩＤをビューア部１８に通知する。
【００４０】
ビューア部１８の表示制御部１８１は、一覧表示部１７から通知された電子書籍ＩＤにより特定される電子書籍を記憶部１４に記憶されている購入電子書籍管理情報から読み出す（ステップＳ１１０）。表示制御部１８１は、読み出した電子書籍のページを表示部１２に表示させる（ステップＳ１１５）。表示させるページは、最初のページでもよく、ユーザが最後にその電子書籍を閲覧したときのページまたはその次のページでもよく、ユーザがしおりを設定したページでもよい。表示制御部１８１は、最初のページ、最後に閲覧したページ、しおりを設定したページのいずれから閲覧を開始するかを問合せるダイアログを表示部１２に表示させ、表示した中からユーザ操作により選択されたページを表示させてもよい。なお、最後に閲覧したページは、購入電子書籍管理情報の閲覧履歴から読み出され、しおりは、購入電子書籍管理情報のユーザ付加情報から読み出される。
【００４１】
ユーザは、操作部１１により電子書籍の閲覧に関するユーザ操作を行う（ステップＳ１２０）。ユーザ操作には、例えば、ページ移動を指示する操作、ページや画像の拡大表示を指示する操作、拡大表示の解除を指示する操作、しおりの設定を指示する操作、閲覧終了を指示する操作などが含まれる。ページ移動のユーザ操作は、移動先のページを指定してその指定したページの表示を指示する操作であり、次ページへのページ移動、前ページへのページ移動、指定ページへのページ移動、しおりが設定されたページへのページ移動などがある。表示部１２がタッチパネルである場合、例えば、フリックにより１ページ分のページ移動が指示され、そのフリックの方向によりそのページ移動方向（前のページ、または後ろのページ）が指定される。なお、ページ移動のユーザ操作は、フリック操作以外でもよい。例えば、ページ移動を指示するメニューやボタンをタップするようにしてもよい。また、あるいは、ページ表示領域の左側半分の領域でタップした場合に次ページへの移動、右半分の領域でタップした場合に前ページへの移動などしてもよい。また、マウスや操作キーなどの操作部１１によって、各種のユーザ操作を受け付けるようにしてもよい。
【００４２】
表示制御部１８１は、表示部１２に現在表示させているページが最終ページである紹介ページか否かを判断する（ステップＳ１２５）。表示制御部１８１は、現在表示させているページが紹介ページではないと判断した場合（ステップＳ１２５：ＮＯ）、ユーザ操作が電子書籍の所定ページへの移動であるか否かを判断する（ステップＳ１３０）。所定ページは、例えば、最終ページでもよく、最終ページよりも前のページでもよい。
【００４３】
表示制御部１８１は、ユーザ操作が電子書籍の所定ページへのページ移動ではないと判断した場合（ステップＳ１３０：ＮＯ）、ユーザ操作に従った処理を行う（ステップＳ１４０）。例えば、ユーザ操作がページ移動である場合、表示制御部１８１は、電子書籍から指定された移動先のページのデータを読み出して表示部１２に表示させる。ユーザ操作がブックマークの設定である場合、表示制御部１８１は、現在表示させている電子書籍の位置を示すしおりを、購入電子書籍管理情報のユーザ付加情報に書き込む。
【００４４】
表示制御部１８１は、ユーザ操作が閲覧終了である場合（ステップＳ１４５：ＹＥＳ）、購入電子書籍管理情報の閲覧履歴に、現在表示させている電子書籍の位置の情報を書込んで図７の処理を終了する。ユーザ操作が閲覧終了ではない場合（ステップＳ１４５：ＮＯ）、電子書籍表示装置１は、ステップＳ１２０からの処理を繰り返す。
【００４５】
一方、ステップＳ１３０において、表示制御部１８１は、ユーザ操作が電子書籍の所定ページへのページ移動であると判断した場合（ステップＳ１３０：ＮＯ）、紹介ページの取得を設定部１８２に指示する。設定部１８２は、関連電子書籍を購入済みか否かに応じて紹介ページを取得し、電子書籍の最終ページとして設定する（ステップＳ１３５）。
【００４６】
そこでまず、設定部１８２は、表示制御部１８１が現在表示させている電子書籍の関連電子書籍が購入済みか否かを判断する。ここでは、関連電子書籍を、表示制御部１８１が現在表示させている電子書籍の続刊の電子書籍とする。設定部１８２は、記憶部１４に記憶されている購入電子書籍管理情報に、現在表示させている電子書籍の続刊であることを示すシリーズの電子書籍が登録されており、かつ、その電子書籍が利用可能である場合、関連電子書籍を購入済みと判断する。設定部１８２は、続刊の購入電子書籍管理情報から読み出したタイトル、紹介文、一覧表示用データを表示させる紹介ページのデータを生成する。設定部１８２は、生成した紹介ページのデータを、電子書籍の最終ページに設定する。
【００４７】
設定部１８２は、関連電子書籍を購入済みではないと判断した場合、ユーザＩＤと、表示制御部１８１が現在表示させている電子書籍の電子書籍ＩＤとを設定した関連電子書籍問合せを電子書籍販売装置５に送信する。電子書籍販売装置５の選択部５６は、電子書籍表示装置１から受信した関連電子書籍問合せに設定されている電子書籍ＩＤをキーにして記憶部５１に記憶されている電子書籍管理情報を特定する。以下では、この特定した電子書籍管理情報を、「閲覧中電子書籍管理情報」と記載する。選択部５６は、閲覧中電子書籍管理情報に設定されているシリーズの情報と、他の電子書籍の電子書籍管理情報に設定されているシリーズの情報とを参照して、続刊の電子書籍を特定し、関連電子書籍として選択する。
【００４８】
あるいは、選択部５６は、著者やジャンルにより関連電子書籍を選択してもよい。選択部５６は、閲覧中電子書籍管理情報の電子書籍情報に設定されている著者またはジャンル、あるいはその両者をキーにして他の電子書籍の電子書籍管理情報を特定する。選択部５６は、特定した電子書籍管理情報に設定されている電子書籍を、関連電子書籍として選択する。
【００４９】
また、あるいは、選択部５６は、ユーザの購入履歴に基づき関連電子書籍を選択してもよい。選択部５６は、関連電子書籍問合せに設定されているユーザＩＤをキーにして特定したユーザ管理情報の購入済電子書籍情報から電子書籍ＩＤを読み出す。選択部５６は、読み出した電子書籍ＩＤをキーにして特定した電子書籍管理情報に設定されている著者またはジャンル、あるいはその両者をキーにして他の電子書籍の電子書籍管理情報を特定する。選択部５６は、特定した電子書籍管理情報に設定されている電子書籍を、関連電子書籍として選択する。
【００５０】
なお、電子書籍管理情報に予め関連電子書籍の電子書籍ＩＤを設定しておいてもよい。この場合、選択部５６は、関連電子書籍問合せに設定されている電子書籍ＩＤをキーにして特定される電子書籍管理情報から関連電子書籍の電子書籍ＩＤを読み出し、読み出した電子書籍ＩＤにより関連電子書籍の電子書籍管理情報を特定する。
【００５１】
選択部５６は、上記のいずれかにより選択した関連電子書籍の電子書籍管理情報からタイトル、紹介文、一覧表示用データ、価格などの情報を読み出すと、読み出したこれらの情報を表示させる紹介ページのデータを生成し、関連電子書籍の電子書籍ＩＤを付加して電子書籍表示装置１に送信する。あるいは、選択部５６は、関連電子書籍の電子書籍管理情報からタイトル、紹介文、一覧表示用データ、価格などの情報を読み出して電子書籍表示装置１に送信し、電子書籍表示装置１の設定部１８２が、受信したこれらの情報を表示させる紹介ページのデータを生成してもよい。設定部１８２は、生成した紹介ページのデータ、あるいは、電子書籍販売装置５から受信した紹介ページのデータを、電子書籍の最終ページに設定する。
【００５２】
表示制御部１８１は、ユーザ操作に従った処理を行う（ステップＳ１４０）。表示制御部１８１は、ユーザ操作が閲覧終了ではない場合（ステップＳ１４５：ＮＯ）、ステップＳ１２０からの処理を繰り返す。
【００５３】
そして、ステップＳ１２５において、表示制御部１８１は、現在表示させているページが紹介ページであると判断した場合（ステップＳ１２５：ＹＥＳ）、ユーザ操作が次ページ以降へのページ移動であるか否かを判断する（ステップＳ１５０）。表示制御部１８１は、ユーザ操作が次ページ以降へのページ移動ではないと判断した場合（ステップＳ１５０：ＮＯ）、ステップＳ１４０からの処理を行う。
【００５４】
一方、表示制御部１８１は、ユーザ操作が次ページ以降へのページ移動であると判断した場合（ステップＳ１５０：ＹＥＳ）、利用問合せページの表示を問合部１８３に指示する。問合部１８３は、関連電子書籍が購入済みであるか否かに応じた利用問合せページのデータを表示部１２に表示させる（ステップＳ１５５）。利用問合せページのデータは、電子書籍のページと同様のデータ形式で記述される。関連電子書籍が購入済みである場合、問合部１８３は、続けて関連電子書籍を閲覧するかを問合せる利用問合せページを表示する。また、関連電子書籍が未購入である場合、問合部１８３は、関連電子書籍を購入するかを問合せる利用問合せページを表示する。
【００５５】
ユーザは、操作部１１によりユーザ操作を行う。ユーザ操作が、前のページへのページ移動、あるいは、閲覧終了の操作である場合（ステップＳ１６０：前のページへのページ移動または閲覧終了）、電子書籍表示装置１は、ステップＳ１４０からの処理を行う。ユーザ操作が、ページ移動の操作でも閲覧終了の操作でもない場合（ステップＳ１６０：他のユーザ操作）、電子書籍表示装置１は、ユーザ操作に従った処理を実行し（ステップＳ１６５）、ステップＳ１６０からの処理を繰り返す。ユーザ操作が次ページ以降へのページ移動である場合（ステップＳ１６０：次以降へのページ移動）、表示制御部１８１は、関連電子書籍が購入済みのときには（ステップＳ１７０：ＹＥＳ）、関連電子書籍を記憶部１４に記憶されている購入電子書籍管理情報から読み出す（ステップＳ１７５）。表示制御部１８１は、読み出した関連電子書籍のページを表示部１２に表示させるステップＳ１１５からの処理を繰り返す。一方、関連電子書籍が未購入であるときには（ステップＳ１７０：ＹＥＳ）、電子書籍表示装置１は、図８に示す処理を実行する。
【００５６】
図８は、図７に示す電子書籍表示処理の続きの処理フローを示す図である。
取得部１８４は、表示部１２に、購入中であることを示す購入中通知ページのデータを表示させるとともに、購入意思確認ダイアログ（購入意思確認画面）を表示させる（ステップＳ２０５）。購入中通知ページのデータは、電子書籍のページと同様のデータ形式で記述される。ユーザは、操作部１１によりユーザ操作を行う（ステップＳ２１０）。表示制御部１８１は、ユーザ操作が購入意思の確認ではないと判断した場合（ステップＳ２１５：ＮＯ）、図７のステップＳ１４０からの処理を行う。取得部１８４は、ユーザ操作が購入意思の確認であると判断した場合（ステップＳ２１５：ＹＥＳ）、関連電子書籍の購入要求を電子書籍販売装置５に送信する（ステップＳ２２０）。購入要求には、ユーザＩＤと、関連電子書籍の電子書籍ＩＤとが設定される。
【００５７】
電子書籍販売装置５の販売処理部５４は、受信した購入要求に設定されているユーザＩＤをキーにして記憶部５１に記憶されているユーザ管理情報を特定し、クレジットカード番号を読み出す。さらに、販売処理部５４は、購入要求に設定されている関連電子書籍の電子書籍ＩＤをキーにして記憶部５１に記憶されている電子書籍管理情報を特定する。販売処理部５４は、特定した電子書籍管理情報に設定されている価格に基づき請求金額を算出すると、特定したユーザ管理情報から読み出したクレジットカード番号と、請求金額とをクレジットカード会社のサーバに送信し、決済処理のトランザクションを要求する。販売処理部５４は、クレジットカード会社のサーバからトランザクションの成功を受信した場合、特定したユーザ管理情報に、関連電子書籍の電子書籍ＩＤと購入日時を設定した購入済電子書籍情報を追加する。配信部５５は、関連電子書籍の電子書籍管理情報に設定されている電子書籍ＩＤ、電子書籍、電子書籍情報のうち電子書籍メタ情報に用いられる一部の情報、及び、一覧表示用データを電子書籍表示装置１に配信する。電子書籍表示装置１の取得部１８４は、電子書籍販売装置５から受信した情報を購入電子書籍管理情報として記憶部１４に書き込む（ステップＳ２２５）。
【００５８】
取得部１８４は、決済が完了した旨を知らせるページである決済完了通知ページのデータを表示部１２に表示させる（ステップＳ２３０）。決済完了通知ページのデータは、電子書籍のページと同様のデータ形式で記述される。決済完了通知ページのデータは、電子書籍販売装置５の配信部５５が生成して関連電子書籍とともに電子書籍表示装置１に送信してもよく、予め記憶部１４に記憶されているものを読み出してもよい。
【００５９】
ユーザは、操作部１１によりユーザ操作を行う（ステップＳ２３５）。表示制御部１８１は、ユーザ操作が次ページ以降へのページ移動であると判断した場合（ステップＳ２４０：ＹＥＳ）、関連電子書籍を記憶部１４に記憶されている購入電子書籍管理情報から読み出す（ステップＳ２４５）。表示制御部１８１は、読み出した関連電子書籍について図７のステップＳ１１５からの処理を繰り返す。一方、表示制御部１８１は、ユーザ操作が次ページ以降へのページ移動ではないと判断した場合（ステップＳ２４０：ＮＯ）、図７のステップＳ１４０からの処理を行う。
【００６０】
図９は、電子書籍表示装置１のビューア機能による表示画面を示す図である。ここでは、関連電子書籍が未購入である場合の表示画面を示している。
図９（ａ）は、表示制御部１８１が最終ページより前のページの電子書籍を表示部１２に表示させたときのる電子書籍のページである。見開きを１ページとしてもよく、見開きの左右のページをそれぞれ１ページとしてもよい。ユーザが次ページへのページ移動の操作であるページめくり操作を行うと、表示制御部１８１は、次ページが最終ページではない場合は再び図９（ａ）のようにページを表示させ、次ページが最終ページの場合は図９（ｂ）のようにページを表示させる。
図９（ｂ）は、電子書籍の最終ページに達した時に、表示制御部１８１が表示部１２に表示させるページを示す図である。同図では、関連電子書籍として続刊を紹介する紹介ページを最終ページとして表示させている。
図９（ｃ）は、図９（ｂ）においてユーザがページめくり操作を行ったときに表示制御部１８１が表示部１２に表示させる利用問合せページを示す図である（図７のステップＳ１５５）。同図では、続刊が未購入でるため、問合部１８３は、関連電子書籍を購入するかを問合せる利用問合せページを表示させている。
図９（ｄ）は、図９（ｃ）においてユーザがページめくり操作を行ったときに表示制御部１８１が表示部１２に表示させる購入中通知ページと、購入中通知ページに表示させる購入意思確認ダイアログを示す図である（図８のステップＳ２０５）。
図９（ｅ）は、図９（ｄ）の購入意思確認ダイアログにおいて購入意思の確認「はい」が選択され（図８のステップＳ２１０〜ステップＳ２３５：ＹＥＳ）、関連電子書籍の購入処理が終了した場合に、表示制御部１８１が表示部１２に表示させる決済完了表示ページを示す図である（図８のステップＳ２３０）。
図９（ｆ）は、図９（ｅ）においてユーザがページめくり操作を行ったときに（図８のステップＳ２３０〜ステップＳ２４０：ＹＥＳ）、表示制御部１８１が表示部１２に表示させる関連電子書籍のページを示す図である（図８のステップＳ２４５〜図７のステップＳ１１５）。同図においては、続刊の最初のページを表示している。
【００６１】
なお、取得部１８４は、ステップＳ２２０において購入要求を送信してから、電子書籍販売装置５における決済処理が終了し、購入電子書籍管理情報を受信するまでの間、購入中を示す画像を表示してもよい。購入中を示す画像は、例えば、「購入中」の文字でもよく、アニメーション画像でもよい。
【００６２】
また、電子書籍表示装置１の問合部１８３は、ステップＳ１３５において関連電子書籍を購入済みか否かを判断せずに、関連電子書籍問合せを電子書籍販売装置５に送信してもよい。問合部１８３は、電子書籍販売装置５から受信した紹介ページのデータに設定されている電子書籍ＩＤが、記憶部１４に記憶されている購入電子書籍管理情報に設定されているか否かにより、関連電子書籍が購入済であるか否かを判断する。
【００６３】
なお、電子書籍販売装置５から配信される電子書籍に予め紹介ページが付加されている場合は、ステップＳ１２５〜ステップＳ１３５の処理を実行しなくてもよい。また、既に紹介ページを取得済みである場合、設定部１８２は、ステップＳ１３５の処理を実行しなくてもよい。
【００６４】
なお、関連電子書籍が販売開始前である場合、予約購入することも可能である。電子書籍が販売開始前である場合、電子書籍管理情報に販売開始日時を設定しておく。図８のステップＳ２２５において、電子書籍販売装置５の販売処理部５４は、トランザクションの成功を受信した場合、ユーザ管理情報に関連電子書籍の電子書籍ＩＤ及び購入日時に加え、販売開始日時を設定した購入済電子書籍情報を追加する。配信部５５は、関連電子書籍の電子書籍ＩＤ、電子書籍情報の一部の情報、一覧表示用データに加え、販売開始日時を電子書籍表示装置１に配信する。ステップＳ２３０において、取得部１８４は、決済が完了した旨と、販売開始日時とを知らせるページである決済完了通知ページのデータを表示部１２に表示させる。決済完了通知ページのデータは、電子書籍販売装置５の配信部５５が生成して電子書籍表示装置１に送信してもよい。
そして、電子書籍販売装置５の配信部５５は、関連電子書籍の販売開始日時以降に電子書籍表示装置１からユーザＩＤを受信したときに、関連電子書籍の電子書籍管理情報から電子書籍を読み出し、電子書籍ＩＤを付加して電子書籍表示装置１に配信する。
なお、電子書籍販売装置５の販売処理部５４は、販売開始日時以降に決済処理を行い、配信部５５は、決済処理が成功した後に関連電子書籍を電子書籍表示装置１に配信してもよい。
【００６５】
なお、電子書籍販売装置５が販売する電子書籍は、レンタル電子書籍など、購入から所定の期限まで利用可能な電子書籍であってもよい。この場合、電子書籍販売装置５の販売処理部５４は、ユーザ管理情報の購入済電子書籍情報に、ユーザが購入した電子書籍の電子書籍ＩＤに対応付けて利用期限の情報を設定する。電子書籍販売装置５の配信部５５は、ステップＳ１０５において電子書籍表示装置１から受信したユーザＩＤをキーにして記憶部５１に記憶されているユーザ管理情報を特定する。配信部５５は、特定したユーザ管理情報の購入済電子書籍情報に利用期限内であることが設定されている、あるいは、利用期限の設定がない電子書籍ＩＤを利用可能電子書籍とし、利用期限が渡過していることが設定されている電子書籍ＩＤを利用不可電子書籍として電子書籍表示装置１に通知する。電子書籍表示装置１の一覧表示部１７は、利用可能電子書籍として通知された電子書籍ＩＤに対応付けて利用可能であることを示す情報を、利用不可電子書籍として通知された電子書籍ＩＤに対応付けて利用不可であることを示す情報を記憶部１４に書き込む。あるいは、電子書籍販売装置５の配信部５５は、電子書籍を電子書籍表示装置１に配信する際に、利用期限を付加してもよい。電子書籍表示装置１の一覧表示部１７は、一覧表示用データを表示部１２に表示させる際、利用不可が設定されている電子書籍ＩＤと対応付けられた一覧表示用データには、閲覧不可であることを示す情報を付加して表示し、閲覧対象として選択できないようにする。
【００６６】
なお、電子書籍販売装置５が販売する電子書籍は、中古の電子書籍であってもよい。中古の電子書籍とは、現在電子書籍を所有しているユーザから他のユーザへ転売される電子書籍であり、例えば、オークションで販売される電子書籍である。この場合、電子書籍管理情報に、中古で電子書籍を購入した場合の販売価格を電子書籍管理情報に設定しておく。中古の電子書籍を転売したユーザには、中古の販売価格に基づく金額、あるいは、予め決められた支払金額が支払われる。
【００６７】
なお、ユーザは、新刊、レンタル、中古などの販売形態を選択して電子書籍を購入することができる。例えば、電子書籍販売装置５は、電子書籍管理情報の価格に、販売形態ごとの価格を設定しておく。なお、中古が販売されていない場合、中古販売価格は設定しない。また、電子書籍販売装置５の販売処理部５４は、ユーザ管理情報の購入済電子書籍情報に、電子書籍ＩＤと対応付けて販売形態の情報を設定する。
電子書籍販売装置５の選択部５６は、ステップＳ１３５において、電子書籍表示装置１から受信した関連電子書籍問合せに設定されているユーザＩＤ及び電子書籍ＩＤをキーにして、ユーザ管理情報の購入済電子書籍情報から販売形態を読み出す。そして、選択部５６は、関連電子書籍を選択すると、選択した関連電子書籍の電子書籍管理情報から紹介文、一覧表示用データ、販売形態に対応した価格などの情報を読み出す。ただし、読み出した販売形態が中古であり、電子書籍管理情報に中古販売価格が設定されていない場合、紹介する関連電子書籍の販売形態を新刊に変更する。選択部５６は、読み出した情報と販売形態を表示させる紹介ページを生成し、関連電子書籍の電子書籍ＩＤ及び販売形態を付加して電子書籍表示装置１に送信する。
そして、ステップＳ２２０において、電子書籍表示装置１の取得部１８４が送信する関連電子書籍の購入要求には、紹介ページに付加されている販売形態をさらに設定する。販売処理部５４は、関連電子書籍の電子書籍管理情報から、購入要求に設定されている販売形態に対応した価格を読み出して決済を行う。
【００６８】
上記実施形態においては、電子書籍表示装置１の設定部１８２は、所定のページの表示が指示された場合に紹介ページを取得しているが、電子書籍の全ページのうち所定割合以上が閲覧された場合に、紹介ページを取得してもよい。
【００６９】
なお、電子書籍販売装置５は、電子書籍表示装置１から電子書籍閲覧中のユーザ操作の情報を受け、上述した各種ページのページ表示画面を生成して電子書籍表示装置１に送信してもよい。この場合、電子書籍販売装置５の配信部５５は、ユーザが購入した電子書籍を一括で電子書籍表示装置１に配信（ダウンロード）しなくてもよい。電子書籍表示装置１の表示制御部１８１は、ユーザＩＤと、閲覧対象の電子書籍の電子書籍ＩＤと、ユーザ操作に応じた表示対象ページとを電子書籍販売装置５に送信する。電子書籍販売装置５の配信部５５は、ユーザＩＤをキーにして特定されるユーザ管理情報に、受信した電子書籍ＩＤが設定されている場合に利用可能と判断する。なお、利用期限が設定されている場合、配信部５５は、さらに利用期限が渡過していない場合に利用可能と判断する。配信部５５は、利用可能と判断した場合、受信した電子書籍ＩＤにより特定される電子書籍から、受信した表示対象ページのページ表示画面を生成して電子書籍表示装置１に送信する。また、配信部５５は、電子書籍表示装置１に表示させているページと、通知を受けたユーザ操作に応じて、利用問合せページ、購入中通知ページ、決済完了表示ページのページ表示画面を生成して電子書籍表示装置１に送信する。電子書籍表示装置１の表示制御部１８１は、受信したページ表示画面を表示部１２に表示させる。
【００７０】
なお、関連電子書籍が複数得られた場合、紹介ページは、複数の関連電子書籍の情報を表示するページとしてもよい。ユーザは、紹介ページから続けて閲覧する関連電子書籍を操作部１１により選択する。また、関連電子書籍を、同じシリーズのユーザが未購入の全巻としてもよい。
【００７１】
なお、上記においては、紹介ページと購入意思確認ページとを別のページとしているが、これらを１つのページとしてもよい。この場合、ステップＳ１３５において、問合部１８３は、紹介ページの内容を含む購入意思確認ページを取得し、記憶部１４に書き込んでおく。そして、ステップＳ１５５において、問合部１８３は、紹介ページの内容を含む購入意思確認ページを記憶部１４から読み出して表示する。
【００７２】
ユーザが電子書籍の閲覧を終了したときに、続けて読みたい電子書籍は続刊などの関連電子書籍であることが多い。従来は、続刊が未購入であれば、ビューア機能を終了させた後、ストア機能を開始して電子書籍の検索及び購入を行い、本棚機能により閲覧対象の購入済電子書籍を選択するという過程を経ていた。これは、続けて読みたい電子書籍が決まっている場合には冗長な仕組みであり、「すぐに続き（関連電子書籍）を読みたい」というニーズを満たすものではない。本実施形態によれば、ユーザは、ビューア機能に留まったまま、続刊などの関連電子書籍を続けて閲覧することができる。また、関連電子書籍が未購入の場合、ユーザは、ページめくり操作をトリガーとしてその関連電子書籍を購入することができる。
【００７３】
上述したように、本実施形態によれば、ユーザは、閲覧中の電子書籍の所定のページからページめくり操作を行っていくことで、あたかも閲覧中の電子書籍と一続きの電子書籍のように、続刊などの関連電子書籍を閲覧することができる。このように電子書籍表示装置のビューア機能に留まったまま、続刊などの関連電子書籍を閲覧できるため、ユーザは、複数巻の書籍やシリーズ書籍の電子書籍をシームレスに購入し、閲覧することが可能となる。
【００７４】
なお、上記では電子コンテンツが電子書籍である場合を説明したが、電子カタログなどであってもよい。この場合、電子カタログを提供するコンテンツ提供装置は、決済処理を行わなくてもよい。
また、電子コンテンツを、電子化した利用許諾書やサービス提供内容の説明書とし、関連する電子コンテンツをその利用許諾書で許諾した電子コンテンツや説明書で提供内容を説明したサービスの電子コンテンツとしてもよい。このように、閲覧中の電子コンテンツの所定のページからのページめくり操作を、利用許諾の承認やサービスの予約などのトリガーにするなど、意思確認に利用することができる。
【００７５】
上述した実施形態における電子書籍表示装置１及び電子書籍販売装置５の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００７６】
以上、この発明の実施形態について図面を参照して詳述してきたが、具体的な構成はこの実施形態に限られるものではなく、この発明の要旨を逸脱しない範囲の設計等も含まれる。
【符号の説明】
【００７７】
１  電子書籍表示装置（コンテンツ表示装置）
５  電子書籍販売装置（コンテンツ提供装置）
９  ネットワーク
１１  操作部
１２  表示部
１３  通信部
１４  記憶部
１５  処理部
１６  購入処理部
１７  一覧表示部
１８  ビューア部
５１  記憶部
５２  通信部
５３  処理部
５４  販売処理部
５５  配信部
５６  選択部
１８１  表示制御部（関連コンテンツ表示制御部）
１８２  設定部
１８３  問合部
１８４  取得部
【図１】
0005961227.tif 000002
【図２】
0005961227.tif 000003
【図３】
0005961227.tif 000004
【図４】
0005961227.tif 000005
【図５】
0005961227.tif 000006
【図６】
0005961227.tif 000007
【図７】
0005961227.tif 000008
【図８】
0005961227.tif 000009
【図９】
0005961227.tif 000010